(57)【要約】【課題】  ペットのにおいが付き易くて金属のきらきら感を低減でき、ペットの爪が擦れることによる嫌な引っ掻き音の発生も防ぐことができるようにする。【解決手段】  金属製の放熱板２を備え、放熱板２の上面２ａに、外周部に放熱部５を残して被覆シート３が設けられている。また、放熱板２が方形状に形成され、被覆シート３が放熱板２に対応する方形状に形成され、放熱板２の角部に前記放熱部５を形成するための切欠部６が被覆シート３の角部に設けられている。また、放熱板２を挿脱可能に収納する袋体が設けられ、袋体の上面側が、前記放熱部５を残して放熱板２の上面を被覆する被覆シート３で形成され、少なくとも放熱板２の上面の放熱部５に対応する袋体の上面側の外周部がメッシュにより形成されている。【選択図】図１
2011177103.tif 000002
【特許請求の範囲】
【請求項１】
金属製の放熱板（２）を備え、放熱板（２）の上面（２ａ）に、外周部に放熱部（５）を残して被覆シート（３）が設けられていることを特徴とするペット用クーラボード。
【請求項２】
放熱板（２）が方形状に形成され、被覆シート（３）が放熱板（２）に対応する方形状に形成され、放熱板（２）の角部に前記放熱部（５）を形成するための切欠部（６）が被覆シート（３）の角部に設けられていることを特徴とする請求項１に記載のペット用クーラボード。
【請求項３】
前記被覆シート（３）の切欠部（６）両端に対応してゴムバンド（７）の両端が連結され、ゴムバンド（７）を放熱板（２）の角部の下面（２ｂ）に引っ掛けることにより、被覆シート（３）が放熱板（２）に着脱自在に装着されていることを特徴とする請求項２に記載のペット用クーラボード。
【請求項４】
前記切欠部（６）の端縁（６ａ）が、放熱板（２）の中央部に向けて凸条になった円弧状に形成されていることを特徴とする請求項２又は３に記載のペット用クーラボード。
【請求項５】
放熱板（２）を挿脱可能に収納する袋体（１１）が設けられ、袋体（１１）の上面側が、前記放熱部（５）を残して放熱板（２）の上面（２ａ）を被覆する被覆シート（３）で形成され、少なくとも放熱板（２）の上面（２ａ）の放熱部（５）に対応する袋体（１１）の上面側の外周部がメッシュ（１３）により形成されていることを特徴とする請求項１に記載のペット用クーラボード。
【発明の詳細な説明】
【技術分野】
【０００１】
本発明は、ペット用クーラボードに関するものである。
【背景技術】
【０００２】
ペット用クーラボードにはアルミニウムやステンレス等の金属製の放熱板により構成したものがある（特許文献１，２）。
【先行技術文献】
【特許文献】
【０００３】
【特許文献１】特許第３６１８３２７号公報
【特許文献２】登録実用新案第３０３２６０２号公報
【発明の概要】
【発明が解決しようとする課題】
【０００４】
この種の従来のペット用クーラボードでは、アルミニウムやステンレス等の金属製の放熱板に直接犬や猫等のペットが横たわるようにしていたため、ペットのにおいがペット用クーラボードに付きにくくなり、犬や猫等のペットが安心してクーラボードに横たわり難かった。また、アルミニウム等の金属製の放熱板は表面がきらきらしているため、ペットが寄りつきにくくなる傾向があった。さらに、放熱板にペットの爪が直接擦れて、嫌な引っ掻き音がするという問題があった。
【０００５】
本発明は上記問題点に鑑み、所定の放熱効果を維持した上で、ペットのにおいが付き易くて金属のきらきら感を低減でき、しかも、ペットの爪が擦れることによる嫌な引っ掻き音の発生も防ぐことができるペット用クーラボードを提供することを目的とする。
【課題を解決するための手段】
【０００６】
この技術的課題を解決する本発明の技術的手段は、金属製の放熱板を備え、放熱板の上面に、外周部に放熱部を残して被覆シートが設けられている点にある。
また、本発明の他の技術的手段は、放熱板が方形状に形成され、被覆シートが放熱板に対応する方形状に形成され、放熱板の角部に前記放熱部を形成するための切欠部が被覆シートの角部に設けられている点にある。
【０００７】
また、本発明の他の技術的手段は、前記被覆シートの切欠部両端に対応してゴムバンドの両端が連結され、ゴムバンドを放熱板の角部の裏面に引っ掛けることにより、被覆シートが放熱板に着脱自在に装着されている点にある。
また、本発明の他の技術的手段は、前記切欠部の端縁が、放熱板の中央部に向けて凸条になった円弧状に形成されている点にある。
【０００８】
また、本発明の他の技術的手段は、放熱板を挿脱可能に収納する袋体が設けられ、袋体の上面側が、前記放熱部を残して放熱板の上面を被覆する被覆シートで形成され、少なくとも放熱板の上面の放熱部に対応する袋体の上面側の外周部がメッシュにより形成されている点にある。
【発明の効果】
【０００９】
本発明によれば、被覆シートがあるためペットのにおいがペット用クーラボードに付き易くなり、犬や猫等のペットが安心してペット用クーラボードに横たわるようになる。また、金属製の放熱板の表面の中央部分が被覆シートで隠れるため、クーラボードのきらきら感を低減することができ、ペットが寄りつき易くなる。さらに、放熱板にペットの爪が直接擦れることを防ぐことができ、嫌な引っ掻き音の発生も防止できる。しかも、放熱板の上面の外周部に放熱部を残しているため、所定の放熱効果を維持することができ、ペット用クーラボードに横たわった犬や猫とのペットにひんやり感を与えることができる。
【図面の簡単な説明】
【００１０】
【図１】本発明の一実施形態を示すペット用クーラボードの平面図である。
【図２】同ペット用クーラボードの底面図である。
【図３】他の実施形態を示す分解斜視図である。
【図４】同袋体に放熱板を入れた状態の斜視図である。
【発明を実施するための形態】
【００１１】
以下、本発明の実施の形態を図面に基づいて説明する。
図１及び図２において、犬や猫等のペットが横たわるペット用クーラボード１は、アルミニウム製の放熱板２を備え、放熱板２の上面２ａに、外周部に放熱部５を残して被覆シート３が配置されている。
放熱板２は、厚さが１〜３ｍｍ程度、長手方向の長さが３００〜６００ｍｍ程度、幅方向の長さが２００〜４００ｍｍ程度の長方形状の板状に形成されている。放熱板２の下面２ｂには合成樹脂製又はゴム製の滑止部４が外周部に複数個下方突設されており、放熱板２は複数の滑止部４を介して床等に設置されるように構成されている。
【００１２】
被覆シート３は、紙や合成樹脂シートにより構成されて放熱板２に対応する方形状に形成されている。被覆シート３に、放熱板２に放熱部５を残すための切欠部６が放熱板２の４角部に対応して４箇所に設けられている。前記各切欠部６の端縁６ａは、放熱板２の中央部に向けて凸条になった円弧状に形成されている。
前記被覆シート３の切欠部６両端に対応してゴムバンド７の両端が連結され、ゴムバンド７を放熱板２の角部の下面２ｂに引っ掛けることにより、被覆シート３が放熱板２に着脱自在に装着されている。なお、被覆シート３の表面には多数の苺等の模様９がカラフルに施されている。
【００１３】
上記実施形態によれば、アルミニウム製の放熱板２の上面２ａに被覆シート３が配置されているので、ペットのにおいがペット用クーラボード１に付き易くなり、犬や猫等のペットが安心してペット用クーラボード１に横たわるようになる。また、アルミニウム製の放熱板２の上面２ａの中央部分が被覆シート３で隠れるため、ペット用クーラボード１のきらきら感を低減することができ、ペットが寄りつき易くなる。さらに、放熱板２にペットの爪が直接擦れることを防ぐことができ、ペットの爪が擦れることによる嫌な引っ掻き音の発生も防止できる。しかも、アルミニウムやステンレス等の金属製の放熱板２にカバーをすることは放熱が悪くなるため、タブーとされていたが、放熱板２の上面２ａの外周部に放熱部５を残しているため、所定の放熱効果を維持することができ、ペット用クーラボード１に横たわった犬や猫とのペットに十分なひんやり感を与えることができる。
【００１４】
被覆シート３が放熱板２に対応する方形状に形成され、放熱板２の角部に前記放熱部５を形成するための切欠部６が被覆シート３の角部に設けられているので、ペットがペット用クーラボード１に横たわった際に、最もペットで塞がれにくくて露出状態となる角部を放熱部５とすることができ、所定の放熱効果をより確実に維持することができる。
また、ゴムバンド７を利用して簡単かつ確実に被覆シート３を放熱板２に上面２ａに装着することができるし、被覆シート３の取り外しや交換も簡単になし得る。
【００１５】
また、切欠部６の端縁６ａが、放熱板２の中央部に向けて凸条になった円弧状に形成されているので、被覆シート３をゴムバンド７等で放熱板２に装着しても、切欠部６の端縁６ａが放熱板２から浮き上がり難くなり、被覆シート３で美麗かつ良好に放熱板２の表面を覆うことができる。
図３及び図４は他の実施形態を示し、犬や猫等のペットが横たわるペット用クーラボード１は、前記実施形態と同様の長方形状のアルミニウム製の放熱板２を備え、該放熱板２を挿脱可能に収納する袋体１１が設けられている。袋体１１の上面側は、前記放熱板２の４角部を残して放熱板２の上面を被覆する被覆シート３で形成され、その他の部分（放熱板２の４角部に対応する部分）はメッシュ１３により形成されて、放熱板２の４角部に放熱部５が形成されている。また、放熱板２の下面２ｂ側に対応する袋体１１の裏面側はメッシュ又はシートにより形成されている。また、図示省略しているが、袋体１１の長手方向又は幅方向の一端部に放熱板２を挿脱するための開口部が形成され、この開口部は面ファスナ又はスライドファスナによって開閉自在に構成されている。
【００１６】
この実施形態の場合も、前記実施形態の場合と同様に、被覆シート３でペットのにおいが付着し易くなり、犬や猫等のペットが安心してペット用クーラボード１に横たわるようになる。また、アルミニウム製の放熱板２の表面の中央部分が被覆シート３で隠れるため、ペット用クーラボード１のきらきら感を低減することができ、ペットが寄りつき易くな
る。さらに、放熱板２にペットの爪が直接擦れることを防ぐことができ、ペットの爪が擦れることによる嫌な引っ掻き音の発生も防止できる。
【００１７】
なお、前記実施の形態では、放熱板２をアルミニウム板により構成しているが、ステンレスその他の金属板により構成するようにしてもよい。
また、前記実施形態では、放熱板２の角部に放熱部５を形成しているが、角部に代えて又は角部と共に他の外周部に放熱部５を形成するようにしてもよい。また、放熱板２は長方形状に限定されず、楕円形状又は円形状その他であってもよい。
【００１８】
また、前記実施形態では、切欠部６の端縁６ａが、放熱板２の中央部に向けて凸条になった円弧状に形成されているが、これに代え、切欠部６の端縁６ａを直線状に形成するようにしてもよい。
【符号の説明】
【００１９】
１    ペット用クーラボード
２    放熱板
２ａ  上面
２ｂ  下面
３    被覆シート
５    放熱部
６    切欠部
７    ゴムバンド
１１    袋体
１３    メッシュ
【図１】
2011177103.tif 000003
【図２】
2011177103.tif 000004
【図３】
2011177103.tif 000005
【図４】
2011177103.tif 000006